(57)【要約】【課題】取付スペースを大きくすることなく、本体部の取付及び取外の作業性を良好にした雨水ますを提供すること。【解決手段】雨水ますを構成する天井取付具１には、周縁部を構成する４辺の端部のうちの少なくとも対角線上で対向する一対の端部に、垂下壁１４ａと、垂下壁１４ａの下端から略水平方向内向きに形成された支持壁１４ｂとを備えた係合突部１４を形成する。また、本体部２には、開口部２２の周囲における少なくとも支持壁１４ｂに略対向する位置に、開口部２２から水平方向に突出する係合突片を形成する。そして、本体部２の上面を天井取付具１の下方に押し当てながら回転させて、係合突片を支持壁１４ｂの上面にスライド式に支持させる。なお、係合突片は本体部２の開口部２２の周りに鍔状のフランジ部２３を形成し、このフランジ部２３の角部を係合突片としてもよい。【選択図】図１
2008144413.tif 000002
【特許請求の範囲】
【請求項１】
水平壁部の略中央部に排水口を有する平面視角型状の天井取付具と、上方に開口部を有し、下方に排水筒を有するとともに、前記開口部が前記天井取付具により覆われるように、天井取付具に取り付けられる本体部とを備えた雨水ますであって、
前記天井取付具は、周縁部を構成する４辺の端部のうちの少なくとも対角線上で対向する一対の端部における所定長さ部を下方に垂下させた垂下壁と、垂下壁の下端から略水平方向内向きに形成された支持壁とを備えた係合突部が形成され、
前記本体部は、前記開口部の周囲における少なくとも前記支持壁に略対向する位置に、前記開口部から水平方向に突出する係合突片を有し、
この係合突片は、本体部を回転させることにより、天井取付具の内側から周縁に向けてスライド式に前記支持壁の上に支持される
ことを特徴とする雨水ます。
【請求項２】
前記係合突部の支持壁は、係合突部が構成される周縁の中央側に位置する端部の内側角部が斜めにカットされていることを特徴とする請求項１記載の雨水ます。
【請求項３】
前記係合突部の前記垂下壁の内面側に位置決め用突部が形成されるとともに、前記係合突片の外周端面にこの位置決め用突部に係合する切欠部が形成されていることを特徴とする請求項１又は２記載の雨水ます。
【請求項４】
前記本体部は、開口部の周囲に鍔状にフランジ部を有し、このフランジ部の角部が前記係合突片を成すことを特徴とする請求項１〜３の何れか１項に記載の雨水ます。
【発明の詳細な説明】
【技術分野】
【０００１】
本発明は、玄関ポーチの天井面や、ベランダ、バルコニーなどの下面に取り付けられる角型の雨水ますに関する。一般に、この種雨水ますでは、天井に天井取付具が取り付けられ、天井取付具に本体部が取り付けられるが、本発明は、特に天井取付具に対する本体部の取付構造に関する。
【背景技術】
【０００２】
従来の雨水ますとしては、例えば、特許文献１に記載されているもの（以下従来技術Ａという）がある。これを図１１及び図１２に示す。この雨水ますでは、天井面等に取り付けられる星型状の天井取付具１１１の縁枠１１２の下端部内周面に、断面逆三角形状の係合突片１１３が形成され、本体部１１５の上方開口部に段部１１６が形成されている。そして、天井取付具１１１の係合突片１１３に対し本体部１１５の段部１１６が下方から押圧されて嵌め込み式に係止され、本体部１１５が天井取付具１１１に取り付けられている。
【０００３】
また、従来の他の雨水ますとして特許文献２に記載された角型の雨水ます（以下従来技術Ｂという）がある。これを図１３に示す。この雨水ますでは、天井に取り付けられる角型の天井取付具１２１の周縁部に内向きの折曲片１２２が形成され、本体部１２５の上方開口部の周辺に鍔部１２６が形成されている。そして、天井取付具１２１の折曲片１２２に対し本体部１２５の鍔部１２６が嵌め込み式に引っ掛けられて、本体部１２５が天井取付具１２１に取り付けられている。
【０００４】
また、従来の他の雨水ますとして特許文献３に記載された角型の雨水ます（以下従来技術Ｃという）がある。これを図１４に示す。この雨水ますでは、天井取付具１３１に矩形状の孔幅の大きい大孔部１３２ａと穴幅の小さい小孔部１３２ｂとからなる係合孔１３２が形成され、本体部１３５に係止用段部１３６を有する係止突起１３７が形成されている。そして、天井取付具１３１の大孔部１３２ａに対し本体部１３５の係止突起１３７が挿入され、次いで、係止突起１３７を小孔部１３２ｂへ直線的に移動させることにより係止用段部１３６が小孔部１３２ｂに係止されて、本体部１３５が天井取付具１３１に取り付けられている。
【０００５】
また、従来の他の雨水ますとして前述の特許文献３に記載された丸型の雨水ます（以下従来技術Ｄという）がある。これを図１５に示す。この雨水ますでは、天井取付具１４１が平面視円形状に形成されるとともに、その周縁部に径方向外側に突出する４個の円弧状の係止突起１４２が形成されている。また、本体部１４５の開口部には、径方向内側に突出する円弧状の係止突起１４６が形成されている。そして、本体部１４５を回転させながら係止突起１４２の上面側に係止突起１４６をスライド式に係合させることにより、本体部１４５が天井取付具１４１に取り付けられている。
【特許文献１】実開平５−６２６１７号公報
【特許文献２】実開平５−６９２１８号公報
【特許文献３】特開平７−１１３３０３号公報、図９、図１０
【発明の開示】
【発明が解決しようとする課題】
【０００６】
しかしながら、前記従来技術Ａの雨水ますにあっては、段部１１６が下方から押圧されて係合突片１１３に嵌め込み式に係止されているため、メンテナンスの際に本体部１２５を取り外すには、高い位置に取り付けられている天井取付具１１１の縁枠１１２を押し広げねばならずその作業が困難であるという問題があった。また、従来技術Ｂの雨水ますについても、本体部１２５の鍔部１２６が天井取付具１２１の折曲片１２２に対し嵌め込み式に引っ掛けられているため、メンテナンスの際に本体部１２５を取り外すには、高い位置に取り付けられている天井取付具１２１の周縁部を押し広げねばならず、その作業が困難であるという問題があった。また、従来技術Ｃの雨水ますにあっては、本体部１３５を取り付ける際に、係止突起１３７を大孔部１３２ａから小孔部１３２ｂへ直線的に移動させる必要があるため、すなわち、本体部１３５を取付開始位置から最終取付位置へ直線的に移動させる必要があるため、取付に必要なスペースが大孔部１３２ａ側に大きくなるという問題があった。これに対し、従来技術Ｄの雨水ますにあっては、回転スライド式に取り付けられているので、前述の従来技術Ａ及びＢに比し本体部１４５の取り外しが容易である。また、前述の従来技術Ｃのように取付スペースが大きくなるという問題がない。しかしながら、天井取付具１４１に対する本体部１４５の取付強度を所定程度に維持するためには、係止突起１４２、１４６の円弧長さをある程度大きくする必要があり、取付作業時に必要となる本体部１４５の回転角度が大きくなっていた。この結果、取付作業としては、高い位置に取り付けられている天井取付具１４１に対し本体部１４５を大きく回転させる必要があり、作業効率が悪いという問題があった。
【０００７】
本発明は、このような事情に鑑み成されたものであって、取付スペースを大きくすることなく、本体部の取付及び取外の作業性を良好にした雨水ますを提供することを目的とする。
【課題を解決するための手段】
【０００８】
本発明の雨水ますは、水平壁部の略中央部に排水口を有する平面視角型状の天井取付具と、上方に開口部を有し、下方に排水筒を有するとともに、前記開口部が前記天井取付具により覆われるように、天井取付具に取り付けられる本体部とを備えた雨水ますであって、前記天井取付具は、周縁部を構成する４辺の端部のうちの少なくとも対角線上で対向する一対の端部における所定長さ部を下方に垂下させた垂下壁と、垂下壁の下端から略水平方向内向きに形成された支持壁とを備えた係合突部が形成され、前記本体部は、前記開口部の周囲における少なくとも前記支持壁に略対向する位置に、前記開口部から水平方向に突出する係合突片を有し、この係合突片は、本体部を回転させることにより、天井取付具の内側から周縁に向けてスライド式に前記支持壁の上に支持されることを特徴とする。
【０００９】
このように構成された本発明の雨水ますによれば、玄関ポーチ等の天井面に取り付けられた天井取付具の下面に対し本体部を取り付けるに際しては、まず、本体部の係合突片が天井取付具の係合突部に干渉しないように正規の取付位置から所定角度をずらせた状態で、本体部の上端面を押し当てる。次いで、本体部の上端面を天井取付具の下面に押し当てた状態で正規の取付位置となるように回転させる。これにより、本体部の係合突片が天井取付具の内側から周縁に向けてスライド式に支持壁の上に支持される。すなわち、本体部の係合突片を回転式にスライドさせることにより、係合突片が水平壁部の下面と支持壁との間に挟持されるように支持壁の上面に支持される。この場合において、係合突部は、角型の天井取付具の周縁部に形成されているので、所要強度を持たせるために天井取付具の周縁方向に必要な長さをとっても、本体部を取り付けるために必要な回転角度を従来技術Ｄより小さくすることができる。したがって、本発明による本体部の取付作業は、本体部の回転角度が小さくなり作業性が向上する。また、本発明の場合は、本体部が回転スライド式に天井取付具に取り付けられているので、取外作業も容易であり、さらに取付スペースも従来技術Ｃのように一方側に大きくなるようなことがないという利便性がある。
【００１０】
また、前記係合突部の支持壁は、係合突部が構成される周縁部の中央側に位置する端部の内側角部が斜めにカットされていることが好ましい。このように構成すれば、天井取付具の下面に対し本体部を取り付けるに際しては、天井取付具の下面に対し正規の取付位置から所定角度ずらせた状態で本体部の上端面を押し当てるが、このずらせる角度を小さくすることができる。この結果、本体部の取付作業における本体部の回転角度がより小さくなり、作業性がより向上する。また、本体部取付時の回転角度を小さくすることを可能としながら、係合突部の長さ（すなわち、係合突部における天井取付具の周縁方向の長さ）を大きくすることができるので、係合突部の強度不足を容易に回避することができる。
【００１１】
また、上記構成の本発明において、前記係合突部の前記垂下壁の内面側に位置決め用突部を形成するとともに、前記係合突片の外周端面にこの位置決め用突部に係合する切欠部を形成してもよい。このように構成すると、位置決め用突部と切欠部との係合により天井取付具に対する本体部の取付位置を一定化することができる。
【００１２】
また、前記本体部は、開口部の周囲に鍔状にフランジ部を有し、このフランジ部の角部が前記係合突片を成すように構成してもよい。このように構成すれば、本体部の開口部の周囲に形成される各係合突片を独立的に形成しなくてよいので、本体部の構造が簡略化されるとともに、係合突片の強度を向上させることができる。
【発明の効果】
【００１３】
本発明によれば、天井取付具に対し本体部を回転させることにより、本体部の係合突片をスライド式に支持壁の上面に支持させるようにしたものであって、取り付けに必要な本体部の回転角度を小さくすることができる。この結果、取付作業性が向上する。また、本発明の場合は、本体部を取付時とは逆の方向に回転させることにより、天井取付具から本体部を容易に取り外すことができる。さらに、取付スペースも大きくなるようなことがないという利便性がある。
【発明を実施するための最良の形態】
【００１４】
以下、本発明の実施の形態に係る雨水ますについて図１〜図１０に基づき説明する。図１は、本発明の実施の形態に係る雨水ますの分解斜視図であり、図２はその組み付け状態における外観斜視図である。これら図に示すように、この実施の形態に係る雨水ますは、玄関ポーチの天井面や、ベランダ、バルコニーなどの下面に取り付けられる角型の雨水ますであって、天井面等に取り付けられる天井取付具１と、天井取付具１の下面側に取り付けられる本体部２とから構成されている。これら天井取付具１及び本体部２は何れも硬質塩化ビニールなどの合成樹脂を材料として成型されている。
【００１５】
天井取付具１は、図１〜図４に示されるように、平面視略正方形の水平壁部１１を備えたものであって、水平壁部１１の中央部に雨水を導入する排水口１２が形成されるとともに、水平壁部１１の周縁部が一定幅下方に突出する厚肉部１１ａに形成され、さらに、水平壁部１１の周縁部の上面側には小さな立上片１３が形成されている。また、周縁部における各辺の一方の端部、すなわち、この実施の形態では平面視各辺の右側の端部には、各辺の長さ方向に所定長さを有する所定長さ部が下方に垂下された垂下壁１４ａと、垂下壁１４ａの下端から水平方向内向きに延設された支持壁１４ｂとからなる係合突部１４として形成されている。支持壁１４ｂは、係合突部１４が形成される周縁の中央側に位置する端部の内側角部が図４に示すように斜めにカットされている。このカットされた部分は、本体部２を取り付けるときのガイド部１４ｃとして機能する。また、係合突部１４の垂下壁１４ａの内面側には、後述する本体部２の位置を一定化するための位置決め用突部１４ｄが形成されている。この位置決め用突部１４ｄは、内方先端部が円弧状に形成されるとともに、下方が支持壁１４ｂに連接され、さらに、上端面が水平壁部１１の上面から少し突出するように形成されている。なお、この係合突部１４の上方部の水平壁部１１には、成型を容易にするために支持壁１４ｂと長さ及び幅が略同一の長方形の角孔１５が形成されている。
【００１６】
また、排水口１２の周囲の水平壁部１１における係合突部１４近傍の各隅部には、図１等に示すように、天井取付具１をねじ１７により玄関ポーチの天井面等にねじ止めするための取付孔１６を備えた厚肉の座部１８が形成されている。座部１８の上端高さは、立上片１３の上端位置に一致し、また、その下端位置は周縁部の厚肉部１１ａの下面に一致するように形成されている。さらに、座部１８の下方内部は、図５に示すように、下方に開口する凹部１８ａに形成され、この凹部１８ａ内にねじ１７の頭部１７ａが収まるように形成されている。これにより、本体部２が天井取付具１の下面に取り付けられる際、ねじ１７の頭部１７ａが本体部２のフランジ部２３に干渉しないように構成されている。
【００１７】
他方、本体部２は、図１に示すように、角筒状を成すとともに、下方に落とし口を成す排水筒２１を有し、さらに、上端の開口部２２の周囲に鍔状に略正方形のフランジ部２３が形成されている。このフランジ部２３の角部、すなわち、支持壁１４ｂに略対向する部分は、天井取付具１の支持壁１４ｂに支持される本発明にいう係合突片を構成する。また、このフランジ部２３は、支持壁１４ｂと水平壁部１１の下面、より具体的には、支持壁１４ｂの上面と水平壁部１１の厚肉部１１ａの下面との上下間に挟持される。したがって、フランジ部２３の平面形状は、天井取付具１の平面形状と比較し、対向する二つの垂下壁１４ａの略肉厚分を小さくしたものとして、対向する二つの垂下壁１４ａ内に収まるように形成されている。また、このフランジ部２３の肉厚は、天井取付具１の支持壁１４ｂと厚肉部１１ａとの上下間の寸法と略同一又は若干小さく形成されている。また、フランジ部２３の端面には、本体部２を天井取付具１に取り付けられた状態において位置決めするための位置決め用突部１４ｄに係合する切欠部２４が４箇所に形成されている。
【００１８】
上記のように構成された雨水ますにおいては、天井取付具１が４箇所の取付孔１６に対しねじ１７を挿通して玄関ポーチの天井面等にねじ止めされる。そして、このように天井面等に取り付けられた天井取付具１に対し、本体部２が次のようにして取り付けられるとともに、取り外しされる。
【００１９】
すなわち、本実施の形態に係る雨水ますにおいて、玄関ポーチの天井面等に取り付けられた天井取付具１の下面に対し、図６及び図７に示すように、本体部２を下方から押し当てる。このとき、図３にフランジ部２３の位置を仮想線で示すように、本体部２の係合突片を構成するフランジ部２３が天井取付具１の係合突部１４に干渉しないように正規の取付位置から所定角度をずらせた状態で、本体部２の上端面を押し当てる。このとき、支持壁１４ｂにはガイド部１４ｃが形成されているので、フランジ部２３の端面がガイド部１４ｃを構成する端面に沿うように押し当てればよい。次いで、本体部２の上端面を天井取付具１の下面に押し当てた状態で正規の取付位置となるように（図３、図６及び図７における矢印方向に）回転させる。これにより、本体部２の係合突片を成すフランジ部２３の角部が天井取付具１の内側から周縁に向けてスライド式に支持壁１４ｂの上に滑り込むように支持される。すなわち、本体部２のフランジ部２３は、本体部２の回転によりスライド式に支持壁１４ｂの上面に支持される。このようにして、本体部２が所定の位置に回転されると、図８に示すように、係合突部１４の垂下壁１４ａの内面側に形成された位置決め用突部１４ｄとフランジ部２３の端面に形成された切欠部２４とが係合して位置決めされ、図２のような状態に取り付けられる。なお、この取付状態においては、フランジ部２３は、図９に示すように、係合突片を成すフランジ部２３の角部が水平壁部１１の周縁部の厚肉部１１ａと支持壁１４ｂとの間に挟持される。
【００２０】
次に、このように取り付けられた雨水ますにおいて、落とし口を成す排水筒２１に集められたごみを除外するなどのメンテナンスのために、本体部２を天井取付具１から取り外すときには、本体部２を前述の取付時と反対の方向に回転させることにより、本体部２を天井取付具１から容易に取り外すことができる。
【００２１】
上記のように構成される本実施の形態に係る雨水ますによれば、次のような作用効果を奏することができる。
（１）本体部２の係合突片を係合させる係合突部１４が角型の天井取付具１の周縁部を形成する各片の平面視右側端部に形成されているので、所要強度を持たせるために天井取付具１の周縁方向に必要な長さを採っても、本体部２を取り付けるために必要な回転角度を小さくすることができる。したがって、本体部２の取付作業は、本体部２の回転角度が小さくなり、その作業性が向上する。また、本実施の形態の場合は、本体部２は回転スライド式に天井取付具１に取り付けられているので、取外作業も容易であり、さらに取付スペースも大きくなるようなことがないという利便性がある。
【００２２】
（２）また、係合突部１４の支持壁１４ｂは、係合突部１４が構成される周縁の中央側に位置する端部の内側角部が斜めにカットされているので、天井取付具１の下面に対し本体部２を取り付ける際の、天井取付具１の下面に対する本体部２の押し付け位置は、正規の取付位置から少ない角度ずらせた状態とすることができる。この結果、本体部２の取付作業における本体部２の回転角度がより小さくなり、作業性がより向上する。また、本体部２取付時の回転角度を小さくすることを可能としながら、係合突部１４の長さ（すなわち、係合突部１４における天井取付具１の周縁方向の長さ）を大きくすることができるので、係合突部１４の強度不足を容易に回避することができる。
【００２３】
（３）また、この実施の形態においては、係合突部１４の垂下壁１４ａの内面側に位置決め用突部１４ｄを形成するとともに、係合突片を構成するフランジ部２３の外周端面にこの位置決め用突部１４ｄに係合する切欠部２４が形成されている。したがって、位置決め用突部１４ｄと切欠部２４との係合により天井取付具１に対する本体部２の取付位置を一定化することができる。
【００２４】
（４）また、本体部２は、開口部２２の周囲に鍔状にフランジ部２３を有し、このフランジ部２３の角部が前記係合突片を成すように構成されているので、本体部２の開口部２２の周囲に形成される各係合突片を独立的に形成しなくてよい。したがって、本体部２の構造が簡略化されるとともに、係合突片の強度を向上させることができる。
【００２５】
（５）また、天井取付具１の取付孔１６を構成する座部１８には、下方に開口する凹部１８ａが形成され、この凹部１８ａ内にねじ１７の頭部１７ａが収まるように構成されているので、天井取付具１に対し本体部２を取り付ける際にねじ１７の頭部１７ａが本体部２と干渉することがない。したがって、天井取付具１に対し本体部２を容易に取り付けることができる。
【００２６】
（６）天井取付具１の水平壁部１１の隅部、すなわち、支持壁１４ｂを構成する上部が角孔１５として形成されているので、天井取付具１の成型用の型の構成が簡単になる。
上記ように形成される実施の形態に係る雨水ますは、次のように変形することもできる。
【００２７】
（１）上記実施の形態において係合突部１４は、天井取付具１の周縁部における平面視右側端部に形成されていたが、左右対象の形態に変更して平面視左側端部に形成してもよい。なお、この場合の本体部２の取付時及び取外時の回転方向は、前記実施の形態とは反対の方向になる。また、係合突部１４は、必ずしもこのように周縁部を構成する各片の所定側（右側又は左側）の端部に形成されていなくてもよい。すなわち、本体部２を天井取付具１に取り付けるためには、係合突部１４は、少なくとも、周縁部を構成する４辺の端部のうちの対角線上で対向する一対の端部に形成されていればよい。
【００２８】
（２）前記実施の形態においては、係合突部１４を構成する支持壁１４ｂは全体が同一水平面に形成されていた。しかし、図１０に示すように、支持壁１４ｂにおける内側部１４１ｂを下方にやや傾斜させた形状とし、外側部（周縁側部）１４２ｂを水平面に形成してもよい。このようにすると、前記実施の形態の場合に比し、係合突片を構成するフランジ部２３の角部を支持壁１４ｂの上面にするスライドさせることが容易になる。また、外側部１４２ｂの水平面と排水口周囲の水平壁部１１との間の寸法をよりフランジ部２３の肉厚に近づけることにより、支持壁１４ｂと水平壁部１１との挟持による摩擦保持力を大きくすることができ、本体部２を所定位置により強く保持することができる。
【００２９】
（３）また、前記実施の形態においては、フランジ部２３の角部が本発明における係合突片を構成していたが、この係合突片を本体部２の上端面において各角部で独立するような形態で構成することも可能である。但しこの場合は、前記実施の形態の場合に比し複雑な形状になる。また、強度的にも弱くなる可能性がある。
【図面の簡単な説明】
【００３０】
【図１】本発明の実施の形態に係る雨水ますの分解斜視図。
【図２】同雨水ますの組み付け状態における外観斜視図。
【図３】同雨水ますを構成する天井取付具の底面図。
【図４】同天井取付具における係合突部の斜視図。
【図５】同天井取付具における取付孔部の断面図。
【図６】同雨水ますにおける本体部の取付開始状態を示す斜視図。
【図７】同雨水ますにおける本体部の取付開始状態を示す他の角度から見た斜視図。
【図８】同雨水ますの本体部取付後の状態における係合突部周りの斜視図。
【図９】図２におけるＡ−Ａ断面図。
【図１０】同雨水ますの変形例としての係合突部の斜視図。
【図１１】従来例に係る雨水ますの分解斜視図。
【図１２】同雨水ますの使用状態を示す拡大断面図。
【図１３】他の従来例に係る雨水ますの取付状態を示す縦断面図。
【図１４】更なる他の従来例に係る雨水ますの分解斜視図。
【図１５】更なる他の従来例に係る雨水ますの分解斜視図。
【符号の説明】
【００３１】
１…天井取付具、２…本体部、１１…水平壁部、１２…排水口、１４…係合突部、１４ａ…垂下壁、１４ｂ…支持壁、１４ｄ…位置決め用突部、２１…排水筒、２２…開口部、２３…フランジ部、２４…切欠部。
【図１】
2008144413.tif 000003
【図２】
2008144413.tif 000004
【図３】
2008144413.tif 000005
【図４】
2008144413.tif 000006
【図５】
2008144413.tif 000007
【図６】
2008144413.tif 000008
【図７】
2008144413.tif 000009
【図８】
2008144413.tif 000010
【図９】
2008144413.tif 000011
【図１０】
2008144413.tif 000012
【図１１】
2008144413.tif 000013
【図１２】
2008144413.tif 000014
【図１３】
2008144413.tif 000015
【図１４】
2008144413.tif 000016
【図１５】
2008144413.tif 000017